(57)【要約】【課題】  携帯電話機のカメラで撮影した写真から、雑誌やメモのスクラップを画像データとして作成するプログラムを提供する。【解決手段】  携帯電話機用トリミングプログラムは、ディスプレイ上に４つのマーカを表示し、ディスプレイに表示される写真データに対して、４つのマーカを移動させて、画像として保存を望む四角形領域の四隅を決定する。次に、四角形領域のみを残すトリミング処理を行う。さらに、マーカを位置決めされた位置から四角形領域の内方の内方位置に移動させ、次のトリミングによって削除するデータを、当初の位置決めされた位置と内方位置とを結ぶ線を対角線とする矩形にて覆う。矩形領域をトリミングにより削除して、保存を望む画像データを生成する。【選択図】図３
2013218547.tif 000002
【特許請求の範囲】
【請求項１】
カメラと、前記カメラによって撮影された写真データを保存するメモリと、前記メモリに保存されたデータを処理するプロセッサと、前記写真データを表示するディスプレイとを有する携帯電話機にインストール可能であり、
前記ディスプレイ上に４つのマーカをそれぞれ移動可能に配置し、ディスプレイに表示される写真データに対して、画像として保存を希望する略四角形領域の四隅を決定するために前記４つのマーカを移動させて位置決めし、前記写真データに対して前記四角形領域のみを残す第１のトリミング処理を行って第１の画像データを生成し、
前記マーカの少なくとも１つを位置決めされた位置から前記略四角形領域の内方の内方位置に移動させ、前記位置決めされた位置と前記内方位置とを結ぶ線を対角線とする矩形に対応する画像データを前記第１の画像データから削除する第２のトリミング処理を行って第２の画像データを生成する手順と、
を含むことを特徴とする携帯電話機用トリミングプログラム。
【請求項２】
さらに、
前記第１の画像データに対して台形補正を行う手順を有することを特徴とする請求項１記載の携帯電話機用トリミングプログラム。
【請求項３】
さらに、
前記第２の画像データにタグを付す手順と、
前記第２の画像データを前記タグと共に前記メモリに保存する手順と、
前記第２の画像データを前記タグと共に外部の記憶装置に送信する手順を有することを特徴とする請求項１または２に記載の携帯電話機用トリミングプログラム。
【請求項４】
さらに、
自動的に前記第２の画像データに含まれる文字情報を読み取って文字データに変換する手順を有することを特徴とする請求項１から３のいずれか一に記載の携帯電話機用トリミングプログラム。
【請求項５】
前記携帯電話機は、スマートフォンであることを特徴とする請求項１から４のいずれか一に記載の携帯電話機用トリミングプログラム。
【請求項６】
カメラと、前記カメラによって撮影された写真データを保存するメモリと、前記メモリに保存されたデータを処理する制御部と、前記写真データを表示するディスプレイとを有する携帯電話機であって、
前記制御部は、
前記ディスプレイ上に４つのマーカをそれぞれ移動可能に配置し、前記ディスプレイに表示される画像データに対して、画像として保存を希望する略四角形領域の四隅を決定するために前記４つのマーカを移動させて位置決めし、前記写真データに対して前記略四角形領域のみを残す第１のトリミング処理を行って第１の画像データを生成する手段と、
前記マーカの少なくとも１つを位置決めされた位置から前記略四角形領域の内方の内方位置に移動させ、前記位置決めされた位置と前記内方位置とを結ぶ線を対角線とする矩形に対応する画像データを前記第１の画像データから削除する第２のトリミング処理を行って第２の画像データを生成する手段と、
を含むことを特徴とする携帯電話機。
【請求項７】
前記制御部は、さらに、自動的に前記第２の画像データに含まれる文字情報を読み取って文字データに変換する手段を有することを特徴とする請求項６記載の携帯電話機。
【請求項８】
カメラと、前記カメラによって撮影された写真データを保存するメモリと、前記メモリに保存された写真データを処理する制御部と、前記写真データを表示するディスプレイとを含む携帯電話機を使用した画像の処理方法であって、
前記ディスプレイ上に４つのマーカをそれぞれ移動可能に表示する工程と、
前記ディスプレイに表示される写真データに対して、画像としての保存を希望する略四角形領域の四隅を決定するために前記４つのマーカを移動させて位置決めする工程と、
前記写真データに対して前記マーカによって四隅が位置決めされた前記略四角形領域のみを残す第１のトリミング処理を行って第１の画像データを生成する工程と、
前記マーカの少なくとも１つを位置決めされた位置から前記略四角形領域の内方の内方位置に移動させて、前記位置決めされた位置と前記内方位置とを結ぶ線を対角線とする矩形に対応する削除対象画像データを決定する工程と、
前記削除対象画像データを、前記第１の画像データから削除する第２のトリミング処理を行って第２の画像データを生成する工程と、
前記第２の画像データに、必要に応じてタグを付して前記メモリに保存する工程と、
を含むことを特徴とする画像の保存方法。
【請求項９】
さらに、
前記第１の画像データに対して台形補正を行う工程を含むことを特徴とする請求項８記載の画像の保存方法。
【発明の詳細な説明】
【技術分野】
【０００１】
本発明は、携帯電話機用トリミングプログラム、携帯電話機及び画像の保存方法に関する。
【背景技術】
【０００２】
世間には、新聞や雑誌のスクラップや、書籍やメモなどの必要な部分を簡単に保存したいというニーズが存在する。
【発明の概要】
【発明が解決しようとする課題】
【０００３】
そこで、当該箇所をカメラやスキャナで画像データとして取り込み、次にＯＣＲソフトを使用して、取り込んだ画像データを文字データに変換するアプリケーションが存在する。しかしながら、従来のアプリケーションでは、取り込む画像の形状が限定されているため、雑誌や新聞のスクラップなどの多様な形状に合わせて画像データを作成することができなかった。このため、データとして不要な部分までも一緒に保存しなければならず、メモリを無駄に使うなどの問題が生じていた。
【０００４】
本発明は、斯かる実情に鑑み、新聞や雑誌のスクラップや、書籍やメモなどの必要な部分のみを画像として簡単に保存できる携帯電話機用トリミングプログラム、携帯電話機及び画像の保存方法を提供しようとするものである。
【課題を解決するための手段】
【０００５】
本発明の携帯電話機用トリミングプログラムは、カメラと、前記カメラによって撮影された写真データを保存するメモリと、前記メモリに保存されたデータを処理するプロセッサと、前記写真データを表示するディスプレイとを有する携帯電話機にインストール可能であり、前記ディスプレイ上に４つのマーカをそれぞれ移動可能に配置し、ディスプレイに表示される写真データに対して、画像として保存を希望する略四角形領域の四隅を決定するために前記４つのマーカを移動させて位置決めし、前記写真データに対して前記四角形領域のみを残す第１のトリミング処理を行って第１の画像データを生成し、前記マーカの少なくとも１つを位置決めされた位置から前記略四角形領域の内方の内方位置に移動させ、前記位置決めされた位置と前記内方位置とを結ぶ線を対角線とする矩形に対応する画像データを前記第１の画像データから削除する第２のトリミング処理を行って第２の画像データを生成する手順と、を含むことを特徴とする。
【０００６】
本発明の携帯電話機は、カメラと、前記カメラによって撮影された写真データを保存するメモリと、前記メモリに保存されたデータを処理する制御部と、前記写真データを表示するディスプレイとを有する携帯電話機であって、前記制御部は、前記ディスプレイ上に４つのマーカをそれぞれ移動可能に配置し、前記ディスプレイに表示される画像データに対して、画像として保存を希望する略四角形領域の四隅を決定するために前記４つのマーカを移動させて位置決めし、前記写真データに対して前記略四角形領域のみを残す第１のトリミング処理を行って第１の画像データを生成する手段と、前記マーカの少なくとも１つを位置決めされた位置から前記略四角形領域の内方の内方位置に移動させ、前記位置決めされた位置と前記内方位置とを結ぶ線を対角線とする矩形に対応する画像データを前記第１の画像データから削除する第２のトリミング処理を行って第２の画像データを生成する手段と、を含むことを特徴とする。
【０００７】
本発明の画像の保存方法は、カメラと、前記カメラによって撮影された写真データを保存するメモリと、前記メモリに保存された写真データを処理する制御部と、前記写真データを表示するディスプレイとを含む携帯電話機を使用した画像の処理方法であって、前記ディスプレイ上に４つのマーカをそれぞれ移動可能に表示する工程と、前記ディスプレイに表示される写真データに対して、画像としての保存を希望する略四角形領域の四隅を決定するために前記４つのマーカを移動させて位置決めする工程と、前記写真データに対して前記マーカによって四隅が位置決めされた前記略四角形領域のみを残す第１のトリミング処理を行って第１の画像データを生成する工程と、前記マーカの少なくとも１つを位置決めされた位置から前記略四角形領域の内方の内方位置に移動させて、前記位置決めされた位置と前記内方位置とを結ぶ線を対角線とする矩形に対応する削除対象画像データを決定する工程と、前記削除対象画像データを、前記第１の画像データから削除する第２のトリミング処理を行って第２の画像データを生成する工程と、前記第２の画像データに、必要に応じてタグを付して前記メモリに保存する工程と、を含むことを特徴とする。
【０００８】
上記構成により、最初に、書籍や雑誌などのスクラップやメモを画像として保存する場合、最初に、保存を希望する領域をカメラによって撮影して写真データとして取り込む。次に、写真データをディスプレイに表示させると共に、ディスプレイ上に４つのマーカを表示する。マーカは移動可能であるため、画像として保存を希望する領域を決定するために、マーカをそれぞれ移動させて、ディスプレイ上の４つのマーカによって位置決めされる位置を四隅とする略四角形領域を画定する。次に、写真データより略四角形領域に相当する画像データのみを残して第１の画像データとする第１のトリミング処理を行う。
【０００９】
次に、略四角形の第１の画像データをディスプレイに表示する。マーカを位置決めされた位置から略四角形領域の内方の内方位置まで移動させる。マーカの移動によって、マーカの位置決めされた位置と内方位置とを結ぶ線を対角線とする矩形領域がディスプレイ上に表示される。この矩形領域によって覆われる領域は、後のトリミング処理によって第１の画像データから削除される画像データに対応する。すなわち、保存を必要としないデータを矩形領域で覆うことによって、第１の画像データから、保存しないデータを削除することが可能となる。また、４つのマーカは、それぞれ独立して移動することができるので、最大４つの矩形領域をディスプレイ上に作成することによって、第１の画像データを、保存を希望する画像データのみに加工することができる。なお、矩形領域の形状及び面積は、マーカの位置に応じて自由に変更できる。
【００１０】
次に、第２のトリミング処理によって、上記矩形領域に相当する画像データを第１の画像データから削除して、第２の画像データを生成する。
【００１１】
このように、ディスプレイ上のマーカを自在に移動させることによって、保存を希望する領域の形状を自在に変更することができ、保存を望む所望の画像のみをデータとして取り込むことができる。
【００１２】
好ましくは、さらに、前記第１の画像データに対して台形補正を行う。カメラによる撮影時に生じた歪みを補正して、保存を希望する原稿に近い形状で第１の画像データを作成することができる。
【００１３】
好ましくは、さらに、前記第２の画像データにタグを付し、前記第２の画像データを前記タグと共に前記メモリに保存し、前記第２の画像データを前記タグと共に外部の記憶装置に送信する。第２の画像データにタグを付すことによって、検索など、複数個の第２の画像データを簡単に管理することができる。また、外部の記憶装置に送信することによって、携帯電話機内のメモリに記憶される第２の画像データのデータ量を抑制することができ、携帯電話機のメモリの軽量化を図ることができる。
【００１４】
好ましくは、さらに、自動的に画像データに含まれる文字情報を読み取って文字データに変換する。画像データから文字情報を自動的に読み取って文字データに変換することで、原稿状の領域に含まれる文字情報を文字データとして容易に扱うことが可能となる。
【００１５】
好ましくは、前記携帯電話機は、スマートフォンである。専用の端末を必要としないため、プログラムをダウンロードするだけで、スマートフォンのカメラ機能を利用して、当該プログラムを簡単に使用して画像データを保存することができる。
【発明の効果】
【００１６】
本発明によれば、携帯電話に付属するカメラで撮影した新聞や雑誌のスクラップや、書籍やメモなどの必要な部分のみを、必要な部分の形状に合わせて加工して保存することができる。
【図面の簡単な説明】
【００１７】
【図１】本発明の一実施の形態に係る携帯電話機を示す。
【図２】携帯電話機の機能を示すブロック図である。
【図３】本発明のプログラム及び画像の保存方法を説明するフローチャートである。
【図４（１）】保存する画像データを生成する手順のうち、写真データの作成を説明する図である。
【図４（２）】保存する画像データを生成する手順のうち、第２のトリミングを説明する図である。
【図４（３）】第１及び第２のトリミング動作により作成された第２の画像データを示す図である。
【発明を実施するための形態】
【００１８】
以下、本発明の実施の形態を添付図面を参照して説明する。
【００１９】
図１に、本発明のプログラムがインストールされる携帯電話機１を示す。携帯電話機１は、例えば、NTT DoCoMo（登録商標）やau（登録商標）、SOFTBANK（登録商標）などから販売されているスマートフォンである。携帯電話機１は、図２に示すように、カメラとしての内蔵カメラ２と、機種に搭載しているＯＳに対応するアプリケーションを実行可能な制御部としてのプロセッサ３と、アプリケーションそのものやカメラで撮影した写真データ等アプリケーションにより生成されたデータを保存するためのメモリ４と、データの送受信を可能とする通信部５と、アプリケーションのウィジェットやアプリケーション本体、写真データを表示するディスプレイ６とを備えている。なお、携帯電話機１として、スマートフォンの他に、カメラ機能及び通信機能を有し且つ本発明のプログラムを実行可能とするＰＤＡ、ポケットコンピュータなどの適宜のモバイル端末を用いることができる。
【００２０】
本発明の一実施の形態であるプログラムは、携帯電話機１の画面６を適宜操作することによりインターネットなどを介してダウンロード可能であって、携帯電話機１にインストール可能であり、インストールされると適宜のウィジェットを作成し、ディスプレイ６に表示可能にする。そして、当該プログラムは、アプリケーションとしてプロセッサ３により実行可能である。また、メモリ４は、光学式文字認識（ＯＣＲ）アプリケーションを記憶することもできる。ＯＣＲアプリケーションは、ユーザの設定により、上記アプリケーションと連動して起動させることもできる。
【００２１】
以下、上記アプリケーションの動作について、図３及び図４を参照しながら説明する。まず、画像として保存を希望する対象部分を含む書籍を準備する（ステップＳ１）。
【００２２】
次に、画面６上の対応するウィジェットにタッチしてアプリケーションを起動すると（ステップＳ２）、メニュー画面が現れるので、最初に、内蔵カメラ２による撮影モードを選択する。撮影モードでは、内蔵カメラ２を用いて、対象部分１０を含むように撮影すると（ステップＳ３）、対象部分１０を含む写真データＡはメモリ４に保存される（ステップＳ４）。
【００２３】
次に、写真データＡをディスプレイ６に表示させるとともに、ディスプレイ６の四隅にそれぞれマーカ１１を表示させる（ステップＳ５）。マーカ１１は、それぞれ例えば正方形からなり、ユーザによるマーカ１１のドラッグ・ドロップによって、互いに独立して画面６上を自在に移動することができる。
【００２４】
次に、ディスプレイ６上に表示された写真データＡに対し、画像として保存を希望する略四角形領域１０の四隅を決定するために、図４（１）に示すように、マーカ１１をそれぞれ移動させて位置決めをする（ステップＳ６）。４つのマーカ１１がそれぞれ位置決めされて略四角形領域１０の四隅が決定されたら、写真データＡから略四角形領域１０に相当する画像データＢのみを第１の画像データとして残すトリミング処理を行う（ステップＳ７）。
【００２５】
次に、第１の画像データＢに対して、必要に応じて、台形補正や傾き補正を行い、第１の画像データの形状や向きを調整する（ステップＳ８）。なお、台形補正や傾き補正は不要であれば省略することができる。
【００２６】
次に、第１の画像データＢをディスプレイ６に表示すると共に、ディスプレイ６の四隅にそれぞれマーカ１１を表示する（ステップＳ９）。このとき、マーカ１１の初期位置は、ステップＳ６やＳ７にて位置決めされた略四角形領域１０の四隅、すなわち第１の画像データＢの四隅にそれぞれ対応している。次に、図４（２）に示すように、マーカ１１をユーザによるドラッグによって適宜内方に向けて移動させる。すると、マーカ１１の初期位置とマーカ１１の移動後の位置（内方位置）とを結ぶ線を対角線とする矩形領域ａがディスプレイ上に現れる。この矩形領域ａによってカバーされる画像データは、後のトリミング処理によって第１の画像データから削除される削除対象画像データとなる。従って、ディスプレイ６上でマーカ１１をそれぞれ移動させて、保存に不要なデータを矩形領域ａで覆うことで、保存を希望する領域Ｃを設定する（ステップＳ１０）。このとき、マーカ１１の移動により保存を希望する領域Ｃを設定する代わりに、ディスプレイ６上をユーザの指でタッチしつつ図形を描く、すなわち、指でなぞることによって、当該領域をＣを設定することもできる。
【００２７】
次に、第１の画像データＢより、削除対象画像データａを削除する第２のトリミング処理を行い（ステップＳ１１）、図４（３）に示すように、保存を希望する領域Ｃを第２の画像データとして作成する（ステップＳ１２）。
【００２８】
次に、第２の画像データＣに、必要に応じて画像の説明をタグとして付すことができる。あるいは、オプションとして、通信部５を使用して、第２の画像データをタグと共に、外部の記憶装置に向けて送信することもできる。この場合、第２の画像データの送信が終了した時に、当該第２の画像データをメモリ４から削除して、携帯電話機１のメモリ４の軽量化を図ることも可能である。
【００２９】
なお、ユーザ設定により、当該アプリケーションをＯＣＲアプリケーションと連動させている場合、第２のトリミングにより（ステップＳ１１）に第２の画像データが生成されると、プロセッサ３は、自動的にＯＣＲアプリケーションを起動させて第２の画像データから文字情報を読み取って文字データに変換し、変換後の文字データをメモリ４に保存することもできる。
【００３０】
撮影が終了したら（ステップＳ１３：ＹＥＳ）、アプリケーションを終了する。
【００３１】
上記実施の形態では、保存を希望する部分を撮影し、引き続いて第１及び第２のトリミング処理を行ったが、予め撮影してメモリ４に保存しておいた写真データを当該アプリケーションによりメモリ４から読み出して、第１及び第２のトリミング処理を行い、保存を希望する部分のみの画像データとすることもできる。
【００３２】
上記実施の形態では、保存を希望するスクラップや部分の形状に合わせて写真データをトリミングして画像データを作成できるので、不要な画像データを削除した画像データを作成して保存することができる。すなわち、保存用の画像データを目的にかなった形状で作成することが可能である。
【００３３】
上記実施の形態では、必要に応じて、画像データに含まれる文字情報を文字データとして抽出でき、原稿に含まれる文字データの管理を容易にすることができる。
【００３４】
また、第１及び第２のトリミング処理により作成された第２の画像データを、メールやtwitterなどのソーシャルネットワークや、外部の記憶装置に任意に送信することができる。また、所定枚数の第２の画像データがメモリ４に保存されると、その後の第２の画像データの生成に伴い、撮影の日付の古い順から順次外部の記憶装置に送信するようにアプリケーションを作成しておけば、携帯電話機のメモリに画像データを大量に残さないので、携帯電話のメモリ容量の軽量化が可能となる。
【符号の説明】
【００３５】
１    携帯電話機
２    内蔵カメラ
３    プロセッサ
４    メモリ
１１    マーカ
Ａ    写真データ
Ｂ    第１の画像データ
Ｃ    第２の画像データ
【図１】
2013218547.tif 000003
【図２】
2013218547.tif 000004
【図３】
2013218547.tif 000005
【図４（１）】
2013218547.tif 000006
【図４（２）】
2013218547.tif 000007
【図４（３）】
2013218547.tif 000008